(57)【要約】【課題】濾布との間に設けて排水を促進する排水用の溝部を簡単に設けることができ、濾布の寿命を伸ばすことができるフィルタープレスの濾板およびその製造方法を提供すること。【解決手段】複数の濾板１１を重ね合わせて圧締し、隣接する濾板１１間に形成される濾室１１ｃに濾布７を介して被濾過物を圧送し、脱水するフィルタープレスの濾板１１で、周囲に枠部材１１ｂを備え中間部に複数の荷重支持ボス部１１ｅを備えるとともに、被濾過物の供給孔１１ｄおよび濾液の排出路１１ｆを備えた濾板本体１１ａを覆う弾性被覆部材１２の表面に、荷重支持ボス部１１ｅおよび供給孔１１ｄを除いて互いに連通する排水促進用の溝部１３を設ける。  この弾性被覆部材１２に排水促進用の溝部１３を設けることで、従来のネット部材などの取り付けの問題や剥離の問題を解消でき、しかも互いに連通する溝で排水性能を向上するようにする。【選択図】図２
2008132429.tif 000002
【特許請求の範囲】
【請求項１】
複数の濾板を重ね合わせて圧締し、隣接する濾板間に形成される濾室に濾布を介して被濾過物を圧送し、脱水するフィルタープレスの濾板であって、
周囲に枠部材を備え中間部に複数の荷重支持ボス部を備えるとともに、被濾過物の供給孔および濾液の排出路を備えた濾板本体と、
この濾板本体を覆う弾性被覆部材と、を有してなり、
この弾性被覆部材の表面に、前記荷重支持ボス部および前記供給孔を除いて互いに連通する排水促進用の溝部を設けたことを特徴とするフィルタープレスの濾板。
【請求項２】
前記溝部を、前記濾布が埋没しない幅および深さで構成したことを特徴とする請求項１記載のフィルタープレスの濾板。
【請求項３】
前記溝部を、開口率を４０〜６０％として形成したことを特徴とする請求項１または２記載のフィルタープレスの濾板。
【請求項４】
複数の濾板を重ね合わせて圧締し、隣接する濾板間に形成される濾室に濾布を介して被濾過物を圧送し、脱水するフィルタープレスの濾板を製造するに際し、
周囲に枠部材を備え中間部に複数の荷重支持ボス部を備えるとともに、被濾過物の供給孔および濾液の排出路を備えた濾板本体を弾性被覆部材で被覆した後、互いに連通する排水促進用の溝部が形成された溝型部材をプレスして前記溝部を成形するようにしたことを特徴とするフィルタープレスの濾板の製造方法。
【請求項５】
前記弾性被覆部材を、未加硫ゴムとして前記濾板本体を被覆した後、加熱しながら前記溝型部材でプレス加硫するようにしたことを特徴とする請求項４記載のフィルタープレスの濾板の製造方法。
【請求項６】
前記溝型部材を、金属製または合成樹脂製の板状部材で構成したことを特徴とする請求項４または５記載のフィルタープレスの濾板の製造方法。
【発明の詳細な説明】
【技術分野】
【０００１】
この発明は、フィルタープレスの濾板およびその製造方法に関し、濾布との間に設けて排水を促進するネット部材に代わる溝部を簡単に形成できるようにしたものである。
【背景技術】
【０００２】
工場廃液や各種作業現場からの汚泥等を含むスラリーの無害化処理のため固液分離を図り、液分は無害化して清澄水として河川等に排水し、有害な固形部分は焼却埋立て処理したり、回収してリサイクル的に有効再利用すること等が行なわれている。
【０００３】
このようなスラリーの処理を確実に行うことができる装置のひとつとしてフィルタープレスが用いられている。
【０００４】
このフィルタープレスでは、例えば特許文献１に開示されたものを図６に示すように、ベース１に一対のスタンド２，２を立設し、これらスタンド２、２間に複数の濾板３，３…をガイドレール４に沿って往復移動自在に支持するとともに、一方のスタンド２側に油圧シリンダ５を設けて各濾板３を圧締状態にしたり、離間状態にできるようにし、圧締した状態で隣接する濾板３，３間に形成される濾室内に濾布を介して被濾過物を圧送し、固液分離された濾液を排液シュート６を介して排出するとともに、各濾板３を離間させた状態で脱水された固化分のケーキを濾布から剥離落下させて排出除去するようになっている。
【０００５】
このようなフィルタープレスの各濾板３は、例えば図７および圧締状態の一部分の断面を図８に示すように、略正方形状の鉄板製の濾板本体３ａを備え、濾板本体３ａの表裏の周囲に枠部材３ｂが設けられて額縁状とされ、枠部材３ｂの内側の凹部が濾室３ｃとされてその中央部に被濾過物の供給孔３ｄが設けてある。この濾室３ｃには、荷重支持用のボス部３ｅが複数形成され、圧締状態で隣接するボス部３ｅ同士を当接させて荷重を支持するようにしてある。
【０００６】
そして、これら濾板本体３ａ、枠部材３ｂ、濾室３ｃ、ボス部３ｅの表面が図示しない弾性材料からなる被覆部材で被覆してあり、これらの腐食を防止するとともに、圧締時の密着性の確保や衝撃緩和を図るようにしてある。
【０００７】
さらに、この濾板３には、分離した濾液を外部に排出するため排出路３ｆが濾板本体３ａ内に設けられて被覆部材の表面に開口するとともに、被覆部材の表面には、ネット部材３ｇが設けてあり、濾布７と濾板３との間の濾過液を排出路３ｆに導くようにしてある。
【０００８】
この濾板３の表裏両面に設けるネット部材３ｇは、合成樹脂製あるいは金属製とされており、ゴムなどの弾性材料の被覆部材上に配置されることから、通常、接着剤で固定することが行なわれている。
【特許文献１】国際公開ＷＯ２００５／０９７２８８Ａ１公報
【発明の開示】
【発明が解決しようとする課題】
【０００９】
ところが、このような濾板３の構造では、ゴムなどの弾性材料の被覆部材上に合成樹脂製あるいは金属製のネット部材３ｇを接着剤で固定することから、接着強度の確保が難しく、剥がれ易いという問題がある。
【００１０】
また、これらの合成樹脂製あるいは金属製のネット部材と濾布が接触することで、濾布の損傷が生じやすいという問題もある。
【００１１】
この発明は、上記従来技術の問題点に鑑みてなされたもので、濾布との間に設けて排水を促進する排水用の溝部を簡単に設けることができ、濾布の寿命を伸ばすことができるフィルタープレスの濾板およびその製造方法を提供しようとするものである。
【課題を解決するための手段】
【００１２】
かかる従来技術の課題を解決するこの発明の請求項１記載のフィルタープレスの濾板は、複数の濾板を重ね合わせて圧締し、隣接する濾板間に形成される濾室に濾布を介して被濾過物を圧送し、脱水するフィルタープレスの濾板であって、周囲に枠部材を備え中間部に複数の荷重支持ボス部を備えるとともに、被濾過物の供給孔および濾液の排出路を備えた濾板本体と、この濾板本体を覆う弾性被覆部材と、を有してなり、この弾性被覆部材の表面に、前記荷重支持ボス部および前記供給孔を除いて互いに連通する排水促進用の溝部を設けたことを特徴とするものである。
【００１３】
このフィルタープレスの濾板によれば、複数の濾板を重ね合わせて圧締し、隣接する濾板間に形成される濾室に濾布を介して被濾過物を圧送し、脱水するフィルタープレスの濾板で、周囲に枠部材を備え中間部に複数の荷重支持ボス部を備えるとともに、被濾過物の供給孔および濾液の排出路を備えた濾板本体と、この濾板本体を覆う弾性被覆部材と、を有してなり、この弾性被覆部材の表面に、前記荷重支持ボス部および前記供給孔を除いて互いに連通する排水促進用の溝部を設けており、弾性被覆部材に排水促進用の溝部を設けることで、取り付けの問題や剥離の問題を解消でき、しかも互いに連通する溝で排水性能を向上できるようになる。
【００１４】
また、この発明の請求項２記載のフィルタープレスの濾板は、請求項１記載の構成に加え、前記溝部を、前記濾布が埋没しない幅および深さで構成したことを特徴とするものである。
【００１５】
このフィルタープレスの濾板によれば、前記溝部を、前記濾布が埋没しない幅および深さで構成してあり、濾布を埋没させずに効率よく排水できるようになる。
【００１６】
さらに、この発明の請求項３記載のフィルタープレスの濾板は、請求項１または２記載の構成に加え、前記溝部を、開口率を４０〜６０％として形成したことを特徴とするものである。
【００１７】
このフィルタープレスの濾板によれば、前記溝部を、開口率を４０〜６０％として形成してあり、このような範囲の開口率とすることで、濾布の寿命を延ばすことができるとともに、排水性を確保することができるようになる。
【００１８】
また、この発明の請求項４記載のフィルタープレスの濾板の製造方法は、複数の濾板を重ね合わせて圧締し、隣接する濾板間に形成される濾室に濾布を介して被濾過物を圧送し、脱水するフィルタープレスの濾板を製造するに際し、周囲に枠部材を備え中間部に複数の荷重支持ボス部を備えるとともに、被濾過物の供給孔および濾液の排出路を備えた濾板本体を弾性被覆部材で被覆した後、互いに連通する排水促進用の溝部が形成された溝型部材をプレスして前記溝部を成形するようにしたことを特徴とするものである。
【００１９】
このフィルタープレスの濾板の製造方法によれば、複数の濾板を重ね合わせて圧締し、隣接する濾板間に形成される濾室に濾布を介して被濾過物を圧送し、脱水するフィルタープレスの濾板を製造するに際し、周囲に枠部材を備え中間部に複数の荷重支持ボス部を備えるとともに、被濾過物の供給孔および濾液の排出路を備えた濾板本体を弾性被覆部材で被覆した後、互いに連通する排水促進用の溝部が形成された溝型部材をプレスして前記溝部を成形するようにしており、濾板本体に弾性被覆部材を被覆した後、この弾性被覆部材にプレスで互いが連通する溝部を成形でき、簡単に排水性に優れた濾板を製造できるようになる。
【００２０】
さらに、この発明の請求項５記載のフィルタープレスの濾板の製造方法は、請求項４記載の構成に加え、前記弾性被覆部材を、未加硫ゴムとして前記濾板本体を被覆した後、加熱しながら前記溝型部材でプレス加硫するようにしたことを特徴とするものである。
【００２１】
このフィルタープレスの濾板の製造方法によれば、前記弾性被覆部材を、未加硫ゴムとして前記濾板本体を被覆した後、加熱しながら前記溝型部材でプレス加硫するようにしており、未加硫のゴムで濾板本体を被覆し、溝型部材を用いて加熱しながらプレス加硫することで、簡単に互いが連通する溝部を成形できるようになる。
【００２２】
また、この発明の請求項６記載のフィルタープレスの濾板の製造方法は、請求項４または５記載の構成に加え、前記溝型部材を、金属製または合成樹脂製の板状部材で構成したことを特徴とするものである。
【００２３】
このフィルタープレスの濾板の製造方法によれば、前記溝型部材を、金属製または合成樹脂製の板状部材で構成しており、パンチングメタルや合成樹脂製のパンチングボードなどを板状部材として用いることで、簡単に溝型部材を用意することができ、簡単に溝部を備えた濾板を製造できるようになる。
【発明の効果】
【００２４】
この発明の請求項１記載のフィルタープレスの濾板によれば、複数の濾板を重ね合わせて圧締し、隣接する濾板間に形成される濾室に濾布を介して被濾過物を圧送し、脱水するフィルタープレスの濾板で、周囲に枠部材を備え中間部に複数の荷重支持ボス部を備えるとともに、被濾過物の供給孔および濾液の排出路を備えた濾板本体と、この濾板本体を覆う弾性被覆部材と、を有してなり、この弾性被覆部材の表面に、前記荷重支持ボス部および前記供給孔を除いて互いに連通する排水促進用の溝部を設けたので、弾性被覆部材に排水促進用の溝部を設けることで、従来のネット部材などの取り付けの問題や剥離の問題を解消でき、しかも互いに連通する溝で排水性能を向上することができる。
【００２５】
また、この発明の請求項２記載のフィルタープレスの濾板によれば、前記溝部を、前記濾布が埋没しない幅および深さで構成したので、濾布を埋没させずに効率よく排水でき、濾布の寿命を延ばすこともできる。
【００２６】
さらに、この発明の請求項３記載のフィルタープレスの濾板によれば、前記溝部を、開口率を４０〜６０％として形成したので、排水性を確保しながら濾布の寿命を延ばすことができる。
【００２７】
また、この発明の請求項４記載のフィルタープレスの濾板の製造方法によれば、複数の濾板を重ね合わせて圧締し、隣接する濾板間に形成される濾室に濾布を介して被濾過物を圧送し、脱水するフィルタープレスの濾板を製造するに際し、周囲に枠部材を備え中間部に複数の荷重支持ボス部を備えるとともに、被濾過物の供給孔および濾液の排出路を備えた濾板本体を弾性被覆部材で被覆した後、互いに連通する排水促進用の溝部が形成された溝型部材をプレスして前記溝部を成形するようにしたので、濾板本体に弾性被覆部材を被覆した後、この弾性被覆部材にプレスで互いが連通する溝部を成形することができ、簡単に排水性に優れた濾板を製造することができる。
【００２８】
さらに、この発明の請求項５記載のフィルタープレスの濾板の製造方法によれば、前記弾性被覆部材を、未加硫ゴムとして前記濾板本体を被覆した後、加熱しながら前記溝型部材でプレス加硫するようにしたので、未加硫のゴムで濾板本体を被覆し、溝型部材を用いて加熱しながらプレス加硫することで、簡単に互いが連通する溝部を成形することができる。
【００２９】
また、この発明の請求項６記載のフィルタープレスの濾板の製造方法によれば、前記溝型部材を、金属製または合成樹脂製の板状部材で構成したので、パンチングメタルや合成樹脂製のパンチングボードなどを板状部材として用いることで、簡単に溝型部材を用意することができ、簡単に溝部を備えた濾板を製造することができる。
【発明を実施するための最良の形態】
【００３０】
以下、この発明の実施の形態について図面を参照して詳細に説明する。  
図１〜図３は、この発明のフィルタープレスの濾板の一実施の形態にかかり、図１は濾板の圧締状態の部分縦断面図、図２は濾板の一部分を切り欠いた正面図および排水用の溝部の部分拡大図、図３は濾板の荷重支持ボス部分の部分断面図および枠部材の下端部分の部分断面図である。
【００３１】
この発明のフィルタープレスの濾板１１は、すでに説明した濾板３と基本構造が同一であり、図１および図２に示すように、略正方形状の鉄板製の濾板本体１１ａを備え、濾板本体１１ａの表裏の周囲に枠部材１１ｂが溶接等で設けられて額縁状とされ、枠部材１１ｂの内側の凹部が濾室１１ｃとされる。この濾室１１ｃの中央部に被濾過物の供給孔１１ｄが設けてある。
【００３２】
また、この濾室１１ｃには、荷重支持用のボス部１１ｅが複数形成され、図示例では、４個のボス部１１ｅが設けてあり、圧締状態で隣接する濾板１１のボス部１１ｅ同士を対向させて当接することで、荷重を分散して均一に支持するようにしてある。
【００３３】
さらに、この濾板１１には、分離した濾液を外部に排出するため排出路１１ｆが濾板本体１１ａおよび枠部材１１ｂの下部内に設けられて下端が底部に開口し、上端部に複数の排水孔を介して濾室１１ｃの表面上に開口している。
【００３４】
そして、これら濾板本体１１ａ、枠部材１１ｂ、濾室１１ｃ、供給孔１１ｄ、ボス部１１ｅの表面がゴムなどの弾性材料からなる弾性被覆部材１２で被覆されてゴムライニング状態としてあり、これらの腐食を防止し、耐薬品性を確保するとともに、圧締時の密着性の確保や衝撃緩和を図り、濾布７の損傷を防止して寿命を延ばすようにしてある。
【００３５】
この濾板１１では、これまでの弾性被覆部材１２の表面に設けて濾布７と濾板１１との間の濾液を排出路１１ｆに導くためのネット部材に代えて、弾性被覆部材１２に排水用の溝部１３が互いが連通するように設けてある。
【００３６】
このような濾板１１に設ける溝部１３は、濾室１１ｃの表面上に、例えばネット部材の場合と同様に網目状に形成され、濾室１１ｃのどの部分からでも濾液を排水路１１ｆに導くことができるようにする。
【００３７】
これまでの濾室内圧力が４０ｐｇｆ／ｃｍ２程度の高圧の場合での実績例に基づき、この溝部１３の開口率は、４０〜６０％とし、従来のネット部材の線径が０．７〜１．０ｍｍで１０〜４メッシュと同等にすることが好ましい。ここで、開口率とは、濾室１１ｃの面積に対する溝部１３の総面積の比をいう。
【００３８】
また、この溝部１３の幅および深さは、濾布７が埋没しないようにし、幅を２．０ｍｍ以下、好ましくは、０．７〜２．０ｍｍ程度とし、深さを１．５〜２．０ｍｍ程度とする。なお、弾性被覆部材１２の厚さは、溝部１３の深さの２倍程度とすることで、溝部１３による腐食に対する耐久性に影響が及ばないようにすることが望ましい。
【００３９】
この濾板１１では、溝部１３の形状（パターン）として、図２(ａ)に示すように、いわゆるパンチングメタルの規則的な円形の孔部分の周囲に相当する部分を溝部１３とすることで、互いが連通するとともに、上記の開口率、幅および深さの条件を満たすようにしてある（図は、必ずしもこれらの条件を満たす表現ではない。）。
【００４０】
なお、溝部１３の形状（パターン）としては、図４に示すように、長孔を千鳥状に配置した周囲部分を溝部１３としたり、四角孔を格子状に配置した周囲部分、菱形孔を千鳥状に配置した周囲部分、六角孔を千鳥状に配置した周囲部分を溝部１３とするなど、互いが連通する溝部１３を形成できる形状（パターン）であれば良く、通常、金属製や合成樹脂製のパンチングメタルやパンチングボードとして採用されている形状（パターン）をそのまま利用することができる。被濾過物の種類によって、脱水率が変わることから、最適な溝部の形状（パターン）を選択して形成すれば良い。
【００４１】
このようなフィルタープレスの濾板１３によれば、ゴムなどの弾性被覆部材１２と一体に溝部１３を形成するので、従来のネット部材を接着したり結束する場合に比べ煩雑な取り付け作業が必要なく、簡単に排水促進用の溝部１３を設けることができるとともに、最適な溝部１３の形状（パターン）として排水性能を向上することができる。
【００４２】
次に、このような溝部１３を備えたフィルタープレスの濾板１１の製造方法について、具体的に説明する。  
この溝部１３を備えたフィルタープレスの濾板１１の製造方法は、例えば濾板１１へのゴムなどの弾性被覆部材１２の被覆と同時に行なわれる。
【００４３】
まず、溝部１３の形状（パターン）に対応する溝型部材１４を用意する。
この溝型部材１４としては、例えば図２に示した円形の孔部分が格子状に配置された周囲の部分を溝部１３とする場合には、図５（ａ）に示すように、溝部１３の厚さに対応する厚さが１．５〜２．０ｍｍのステンレス製や合成樹脂製などのパンチングメタルを溝型部材１４として用意する。なお、この溝型部材１４としては、ポリエステル樹脂のパンチングボードであったり、図４で説明した各溝部の形状（パターン）のパンチングメタルやパンチングボードであっても良く、樹脂製の場合には、交点部分が編み方式で凹凸があるものでなく、熱融着等で凹凸の内平面状となっているものが円滑に排水するために望ましい。  
そして、この溝型部材１４をゴムプレス金型に装着する。
【００４４】
濾板１１に弾性被覆部材１２として所定厚さ、例えば厚さ３〜４ｍｍの未加硫ゴムを被覆する。この弾性被覆部材１２としては、エンボスプレス加硫に耐え得る材料を選定し、高圧力によりエンボス溝形状の変形を防止できるよう加硫後のゴム硬さがＡ８５〜Ａ９５となるものが適している。
【００４５】
こののち、弾性被覆部材１２を被覆した濾板１１の表裏両面にそれぞれ溝型部材１４を装着した金型をセットし、１３０〜１５０℃に加熱しながらプレス加硫する。
【００４６】
そして、プレス加硫完了後、溝型部材１４を装着した金型を開放して濾板１１を取り出すことで、排水用に溝部１３が形成された濾板１１を得ることができる。
【００４７】
これにより、溝型部材１４を用いてプレス加硫することで、未加硫ゴムで被覆した濾板１１に簡単に溝部１３を加工することができる。
【００４８】
また、溝型部材１４として金属製や合成樹脂製のパンチングメタルやパンチングボードを用いることで、図５（ｂ）に示すように、四角孔を格子状に配置した周囲部分を排水用の溝部１３の形状（パターン）とする場合など、排水用の溝部１３の形状（パターン）を変える場合でも、簡単に溝型部材１４を用意して対応することができる。
【００４９】
なお、弾性被覆部材１２の両表面に排水用の溝部１３を設けた濾板１１を製造する方法としては、金型に溝型部材１４を取り付けてプレス加硫する場合に限らず、金型に直接溝部に対応する溝加工を施しておき、この溝部が加工された金型で製造するようにしても良く、量産する場合に適している。
【００５０】
これにより、濾板１１を濾布７を介して複数枚重ね合わせて圧締し、脱水処理したり、その後、各濾板１１を離間させて濾室１１ｃ内の脱水ケーキを落下させる場合でも、安定した状態で溝部１３の剥離などが生じることがなく、しかも溝部１３によって効率良く排水することができる。
【００５１】
なお、上記実施の形態では、濾板の形状を略正方形状とした場合を例に説明したが、円板状など他の形状の濾板であっても同様に適用することができる。
【図面の簡単な説明】
【００５２】
【図１】この発明のフィルタープレスの濾板の一実施の形態にかかる濾板の圧締状態の部分縦断面図である。
【図２】この発明のフィルタープレスの濾板の一実施の形態にかかる濾板の一部分を切り欠いた正面図および排水用の溝部の部分拡大図である。
【図３】この発明のフィルタープレスの濾板の一実施の形態にかかる濾板の荷重支持ボス部分の部分断面図および枠部材の下端部分の部分断面図である。
【図４】この発明のフィルタープレスの濾板の一実施の形態にかかる、それぞれ排水用の溝部の形状（パターン）の説明図である。
【図５】この発明のフィルタープレスの濾板の製造方法の一実施の形態にかかる溝型部材とこれにより製造された溝部の形状の説明図である。
【図６】この発明が適用されるフィルタープレスの概略構成図である。
【図７】従来のフィルタープレスの濾板の一部分を切り欠いた部分正面図である。
【図８】従来のフィルタープレスの濾板構造の一部分の概略断面図である。
【符号の説明】
【００５３】
１            ベース
２            スタンド
３，３        濾板
４            ガイドレール
５            油圧シリンダ
６            排液シュート
７            濾布
１１            フィルタープレスの濾板
１１ａ          濾板本体
１１ｂ          枠部材
１１ｃ          濾室
１１ｄ          供給孔
１１ｅ          ボス部
１１ｆ          排出路
１２            弾性被覆部材
１３            溝部
１４            溝型部材
【図１】
2008132429.tif 000003
【図２】
2008132429.tif 000004
【図３】
2008132429.tif 000005
【図４】
2008132429.tif 000006
【図５】
2008132429.tif 000007
【図６】
2008132429.tif 000008
【図７】
2008132429.tif 000009
【図８】
2008132429.tif 000010